(57)【要約】【課題】本発明は、木造住宅の壁厚を活用して迅速に整理・整頓・収納ができる、地震災害による家具の転倒が防止できる壁厚を有効活用する壁埋込薄型収納家具を提供する。【解決手段】複数の棚受け1を設けた2枚の埋込欠きをした側板2を並置して、埋込欠きをした上板3と埋込欠きをした下板4を用いて箱状に固定して成る箱枠5、該箱枠5の埋込側に裏板6を取付けて成る収納箱A、該収納箱Aの埋込欠き部分Bを、木造住宅の床Cから間隔を開けて木造住宅の壁Dに埋込固定して、収納箱Aに笠板7と扉8を取付けて成る壁埋込薄型収納家具E、該壁埋込薄型収納家具Eに成ることを特徴とする壁厚を有効活用する壁埋込薄型収納家具。【選択図】  図1
2020105857.tif 000002
【特許請求の範囲】
【請求項１】
壁厚を有効活用する壁埋込薄型収納家具であって、複数の棚受け1を設けた2枚の埋込欠きをした側板2を並置して、埋込欠きをした上板3と埋込欠きをした下板4を用いて箱状に固定して成る箱枠5、該箱枠5の埋込側に裏板6を張り付けて成る収納箱A、該収納箱Aの埋込欠き部分Bを、木造住宅の床Cから間隔を開けて木造住宅の壁Dに埋込固定して、収納箱Aに笠板7と扉8を取付けて成る壁埋込薄型収納家具E、該壁埋込薄型収納家具Eに成ることを特徴とする壁厚を有効活用する壁埋込薄型収納家具。
【請求項２】
前記、複数の棚受け1を設けた2枚の埋込欠きをした側板2を並置して、埋込欠きをした上板3と埋込欠きをした下板4を用いて箱状に固定して成る箱枠5、該箱枠5の埋込側に裏板6を張り付けて成る収納箱A、該収納箱Aの埋込欠き部分Bを、木造住宅の床Cから間隔を開けて木造住宅の壁Dに埋込固定して、収納箱Aに笠板7と扉8を取付けて成る壁埋込薄型収納家具E、該壁埋込薄型収納家具Eに埋込欠き部分Bを設けたことを特徴とする、請求項１に記載の壁厚を有効活用する壁埋込薄型収納家具。
【請求項３】
前記、複数の棚受け1を設けた2枚の埋込欠きをした側板2を並置して、埋込欠きをした上板3と埋込欠きをした下板4を用いて箱状に固定して成る箱枠5、該箱枠5の埋込側に裏板6を張り付けて成る収納箱A、該収納箱Aの埋込欠き部分Bを、木造住宅の床Cから間隔を開けて木造住宅の壁Dに埋込固定して、収納箱Aに笠板7と扉8を取付けて成る壁埋込薄型収納家具E、該壁埋込薄型収納家具Eに埋込欠き部分Bを設けて木造住宅の床Cから間隔を開けて木造住宅の壁Dに埋込固定することを特徴とする、請求項１〜2に記載の壁厚を有効活用する壁埋込薄型収納家具。
【請求項４】
前記、壁埋込薄型収納家具Eを木造住宅の間柱I間内に、2段重連結又は複数並列埋込固定することを特徴とする、請求項１〜3に記載の壁厚を有効活用する壁埋込薄型収納家具。
【請求項５】
前記、壁埋込薄型収納家具Eの奥行深さを、使用目的によって変更することを特徴とする、請求項１〜4に記載の壁厚を有効活用する壁埋込薄型収納家具。
【発明の詳細な説明】
【技術分野】
【０００１】
本発明は、生活用品の収納を担っている床置き型収納家具に代わる、壁厚を有効活用する壁埋込薄型収納家具に関する。
【背景技術】
【０００２】
従来、生活用品の収納を担っているのは独立した床置き型の収納家具が主流である。
【０００３】
その床置き型の収納家具は多種多様な生活用品を収納するために、必要な部屋の床に床置きして生活用品が収納されている。
【先行技術文献】
【特許文献】
【０００４】
【特許文献１】無し
【０００５】
【非特許文献１】無し
【発明の開示】
【発明が解決しようとする課題】
【０００６】
従来の床置き型の収納家具には次の問題があった。
〇従来の収納家具は地震による転倒事故を防止するための強固な固定が課題であった。
〇従来の収納家具は収納目的に合わせた家具のため種類が多く広い面積を必要とした。
〇従来の収納家具は様々な生活用品を迅速に収納して取出して使うには不便であった。
〇従来の収納家具は床上に家具を置くため家具と壁の隙間に埃が溜まる課題があった。
〇従来の収納家具は床上に家具を置くため電気掃除機時代にそぐわない課題があった。
〇従来の収納家具は床上に家具を置くため部屋の面積を著しく阻害する課題があった。
【０００７】
収納家具の使命は、衣服を含めて日常生活の多種多様な生活用品を迅速に収納して、必要時に取出して使う整理整頓が主たる目的であるが、現代の生活事情と住宅の個室化によって、部屋の面積が狭くなり従来の収納家具では対応が困難になっている。さらに、従来の床置き型の収納家具は、上記したように設置場所の問題や埃が溜まる隙間の掃除は大きな課題であった。
【０００８】
本発明は、上記の課題に鑑みて、収納家具の設置場所問題や設置に伴う隙間に埃が溜まる問題を解決する。壁厚を有効活用する壁埋込薄型収納家具を提供するものである。
【課題を解決するための手段】
【０００９】
この発明は、上記の課題を解決するためになされたもので、複数の棚受けを設けた2枚の埋込欠きをした側板を並置して、埋込欠きをした上板と埋込欠きをした下板を用いて箱状に固定して成る箱枠、該箱枠の埋込側に裏板を張り付けて成る収納箱、該収納箱の埋込欠き部分を、木造住宅の床から間隔を開けて木造住宅の壁に埋込固定して、収納箱に笠板と扉を取付けて成る壁埋込薄型収納家具、該壁埋込薄型収納家具に成ることを特徴とする壁厚を有効活用する壁埋込薄型収納家具（請求項１）を提供する。
【００１０】
前記、複数の棚受けを設けた2枚の埋込欠きをした側板を並置して、埋込欠きをした上板と埋込欠きをした下板を用いて箱状に固定して成る箱枠、該箱枠の埋込側に裏板を取付けて成る収納箱、該収納箱の埋込欠き部分を、木造住宅の床から間隔を開けて木造住宅の壁に埋込固定して、収納箱に笠板と扉を張り付けて成る壁埋込薄型収納家具、該壁埋込薄型収納家具に埋込欠き部分を設けたことを特徴とする、請求項１に記載の壁厚を有効活用する壁埋込薄型収納家具（請求項２）を提供する。
【００１１】
前記、複数の棚受けを設けた2枚の埋込欠きをした側板を並置して、埋込欠きをした上板と埋込欠きをした下板を用いて箱状に固定して成る箱枠、該箱枠の埋込側に裏板を取付けて成る収納箱、該収納箱の埋込欠き部分を、木造住宅の床から間隔を開けて木造住宅の壁に埋込固定して、収納箱に笠板と扉を張り付けて成る壁埋込薄型収納家具、該壁埋込薄型収納家具に埋込欠き部分を設けて木造住宅の床から間隔を開けて木造住宅の壁に埋込固定することを特徴とする、請求項１〜2に記載の壁厚を有効活用する壁埋込薄型収納家具（請求項3）を提供する。
【００１２】
前記、壁埋込薄型収納家具を木造住宅の間柱間内に、2段重連結又は複数並列埋込固定することを特徴とする、請求項１〜3に記載の壁厚を有効活用する壁埋込薄型収納家具（請求項4）を提供する。
【００１３】
前記、壁埋込薄型収納家具の奥行深さを、使用目的によって変更することを特徴とする、請求項１〜4に記載の壁厚を有効活用する壁埋込薄型収納家具（請求項5）を提供する。
【発明の効果】
【００１４】
本発明の特筆すべき大きな効果を列挙する。
イ）壁埋込薄型収納家具によって地震災害等による家具の転倒が防止できる。
ロ）壁埋込薄型収納家具によって狭い部屋のスペースを有効に活用ができる。
ハ）壁埋込薄型収納家具によってロボット掃除機時代に相応しい対応できる。
二）壁埋込薄型収納家具によって多種多様な生活用品等が迅速に収納できる。
ホ）壁埋込薄型収納家具は新築住宅から居住住宅まで全ての壁に取付が可能。
【００１５】
以上で説明したように、請求項１に係る発明によれば、複数の棚受けを設けた2枚の埋込欠きをした側板を並置して、埋込欠きをした上板と埋込欠きをした下板を用いて箱状に固定して成る箱枠、該箱枠の埋込側に裏板を張り付けて成る収納箱、該収納箱の埋込欠き部分を、木造住宅の床から間隔を開けて木造住宅の壁に埋込固定して、収納箱に笠板と扉を取付けて成る壁埋込薄型収納家具、該壁埋込薄型収納家具に成ることを特徴とする壁厚を有効活用する壁埋込薄型収納家具は、部屋の全ての壁が取付対象で、多種多様な壁埋込薄型収納家具を複数取付けることで、部屋の面積を狭めることなく、大量な生活用品を迅速に収納できる効果は、整理・整頓・清掃の観点から無限大である。
【００１６】
請求項２に係る発明によれば、前記、複数の棚受けを設けた2枚の埋込欠きをした側板を並置して、埋込欠きをした上板と埋込欠きをした下板を用いて箱状に固定して成る箱枠、該箱枠の埋込側に裏板を張り付けて成る収納箱、該収納箱の埋込欠き部分を、木造住宅の床から間隔を開けて木造住宅の壁に埋込固定して、収納箱に笠板と扉を取付けて成る壁埋込薄型収納家具、該壁埋込薄型収納家具に埋込欠き部分を設けたことで、新築する木造住宅から現在生活をしている木造住宅(在来木造住宅・ツーバイフォー住宅)の壁に取付が可能で、壁埋込薄型収納家具の市場の大きさは無限大である。
【００１７】
請求項3に係る発明によれば、前記、複数の棚受けを設けた2枚の埋込欠きをした側板を並置して、埋込欠きをした上板と埋込欠きをした下板を用いて箱状に固定して成る箱枠、該箱枠の埋込側に裏板を張り付けて成る収納箱、該収納箱の埋込欠き部分を、木造住宅の床から間隔を開けて木造住宅の壁に埋込固定して、収納箱に笠板と扉を取付けて成る壁埋込薄型収納家具、該壁埋込薄型収納家具に埋込欠き部分を設けて木造住宅の床から間隔を開けて木造住宅の壁に埋込固定することで、壁に設ける埋込切断開口部の制度が悪くても埋込欠き部分で吸収できることから、誰でも取付けることが可能になる施工性の容易さによって、壁埋込薄型収納家具の普及に大きく貢献する。
【００１８】
請求項4に係る発明によれば、前記、壁埋込薄型収納家具を木造住宅の間柱間内に、2段重連結又は複数並列埋込固定することで、生活用品の収納容量が増えるとともに、利便性と迅速な整理整頓の観点からも大きな効果が得られる。
【００１９】
請求項5に係る発明によれば、前記、壁埋込薄型収納家具の奥行深さを、使用目的によって変更することで、多種多様な生活用品が収納できる大きな効果が得られる。
【発明を実施するための最良の形態】
【００２０】
以下に、本発明の実施形態は添付図面を参照しつつ詳細に説明する。
【００２１】
図１は、本発明に係る壁に固定した壁埋込薄型収納家具の鳥観図。図２は、壁に固定した奥行の浅い壁埋込薄型収納家具の横断面詳細図。図３は、壁に固定した奥行の深い壁埋込薄型収納家具の横断面詳細図。図4は、壁に固定した奥行の深い壁埋込薄型収納家具の縦断面図。図5は、図4の正面図。図6は、図4の横断面図。図7は、壁に固定した奥行の浅い壁埋込薄型収納家具の縦断面図。図8は、図7の正面図。図9は、図7の横断面図。図10は、複数並列埋込固定した壁埋込薄型収納家具の正面図。図11は、図10の断面図。図12は、奥行の深い2段重連結した壁埋込薄型収納家具の縦断面図。図13は、図12の正面図。図14は、奥行の浅い2段重連結した壁埋込薄型収納家具の縦断面図。図15は、図14の正面図である。
【００２２】
本発明の実施形態を図面で説明すれば、図１は、壁に固定した壁埋込薄型収納家具の鳥観図である。
【００２３】
図2は、木造住宅の壁Dの柱9と間柱10の間に、奥行の浅い壁埋込薄型収納家具の埋込欠き部分Bを埋め込んだ状態を示した横断面詳細図である。
【００２４】
図3は、木造住宅の壁Dの柱9と間柱10の間に、奥行の深い壁埋込薄型収納家具の埋込欠き部分Bを埋め込んだ状態を示した横断面詳細図である。
【００２５】
図4は、木造住宅の壁Dに、奥行の深い壁埋込薄型収納家具の埋込欠き部分Bを埋め込んだ状態を示した縦断面詳細図である。
【００２６】
図5は、図4の正面図である。
【００２７】
図6は、図4の横断面図である。
【００２８】
図7は、木造住宅の壁Dに、奥行の浅い壁埋込薄型収納家具の埋込欠き部分Bを埋め込んだ状態を示した縦断面詳細図である。
【００２９】
図8は、図7の正面図である。
【００３０】
図9は、図7の横断面図である。
【００３１】
図10は、複数並列埋込固定した壁埋込薄型収納家具の正面図である。
【００３２】
図11は、図10の断面図である。
【００３３】
図12は、木造住宅の壁Dに、2段重連結した奥行の深い壁埋込薄型収納家具の埋込欠き部分Bを埋め込んだ状態を示した、奥行の深い2段重連結した壁埋込薄型収納家具の縦断面図である。
【００３４】
図13は、図12の正面図である。
【００３５】
図14は、木造住宅の壁Dに、2段重連結した奥行の浅い壁埋込薄型収納家具の埋込欠き部分Bを埋め込んだ状態を示した、奥行の浅い2段重連結した壁埋込薄型収納家具の縦断面図である。
【００３６】
図15は、図14の正面図である。
【００３７】
以上、図面について説明したが、本発明は、従来の床置き型の収納家具の問題点を解決して、多種多様な生活用品を迅速に整理・整頓・収納することを目的とした、設置スペースを必要としない壁厚を有効活用する壁埋込薄型収納家具である。
【００３８】
壁厚を有効活用する壁埋込薄型収納家具の実施例を説明するまえに、我国の木造住宅には、在来木造住宅とツーバイフォー住宅の2種類の住宅が大半を占めている。それらの住宅で有効活用ができる壁厚の空間は、在来木造住宅は、105mmの柱芯々を910mmとして30mm厚の間柱を入れた場合、ボード厚13mmを含めて奥行118mm×巾387.5mmとなる。ツーバイフォー住宅は、38mm×89mmの間柱芯々を455mm間隔として、ボード厚13mmを含めて奥行102mm×巾417mmとなり、在来木造住宅とツーバイフォー住宅で利用できる埋込寸法は、ツーバイフォー住宅の奥行102mmと在来木造住宅の巾387.5mmであり、壁埋込薄型収納家具の埋込欠き部分の寸法を奥行95mm×巾380mmとする実施寸法とする。
【実施例１】
【００３９】
図4を参照して実施例を説明すれば、図6に示した2枚の95mm×5mmの埋込欠きをした側板2(25mm×242mm)、埋込欠きをした上板3(25mm×222mm)、埋込欠きをした下板4(25mm×222mm)で図4に示した900mm高さの箱枠5に組固定して、3mm厚の裏板6を張り付けて成る収納箱Aの埋込欠き部分Bを、木造住宅の床Cから150mmの間隔を開けて木造住宅の壁Dに埋込固定して、収納箱Aに笠板7と扉8を取付けて壁埋込薄型収納家具Eとして、奥行きを必要とする本箱や生活用品の収納家具として活用をする。
【実施例２】
【００４０】
図7を参照して実施例を説明すれば、図9に示した2枚の95mm×5mmの埋込欠きをした側板2(25mm×142mm)、埋込欠きをした上板3(25mm×122mm)、埋込欠きをした下板4(25mm×122mm)で図7に示した900mm高さの箱枠5に組固定して、3mm厚の裏板6を張り付けて成る収納箱Aの埋込欠き部分Bを、木造住宅の床Cから150mmの間隔を開けて木造住宅の壁Dに埋込固定して、収納箱Aに笠板7と扉8を取付けて壁埋込薄型収納家具Eとして、奥行きを必要としない飾り棚や生活用品の収納家具として活用をする。
【実施例３】
【００４１】
図11を参照して実施例を説明すれば、図11に示した2枚の95mm×5mmの埋込欠きをした側板2(25mm×142mm)、埋込欠きをした上板3(25mm×122mm)、埋込欠きをした下板4(25mm×122mm)で図7に示した900mm高さの箱枠5に組固定して、3mm厚の裏板6を張り付けて成る収納箱Aの埋込欠き部分Bを、木造住宅の床Cから150mmの間隔を開けて木造住宅の壁Dの間柱10を挟んで2台の収納箱Aを並列して、木造住宅の壁Dに埋込固定して、各々の収納箱Aに笠板7と扉8を取付けて、2台の壁埋込薄型収納家具Eとして、奥行きを必要としない飾り棚や生活用品の収納家具として活用をする。
【実施例４】
【００４２】
図12を参照して実施例を説明すれば、図6に示した2枚の95mm×5mmの埋込欠きをした側板2(25mm×242mm)、埋込欠きをした上板3(25mm×222mm)、埋込欠きをした下板4(25mm×222mm)で図4に示した900mm高さの箱枠5に組固定して、3mm厚の裏板6を張り付けて成る収納箱Aの埋込欠き部分Bを、木造住宅の床Cから150mmの間隔を開けて木造住宅の壁Dに埋込固定して、その上に収納箱Aを重ねて埋込固定した、収納箱Aに笠板7と各々に扉8を取付けて、奥行の深い2段重連結した壁埋込薄型収納家具Eとして、奥行きを必要とする本箱や生活用品の収納家具として活用をする。
【実施例５】
【００４３】
図14を参照して実施例を説明すれば、図11に示した2枚の95mm×5mmの埋込欠きをした側板2(25mm×142mm)、埋込欠きをした上板3(25mm×122mm)、埋込欠きをした下板4(25mm×122mm)で、図7に示した900mm高さの箱枠5に組固定して、3mm厚の裏板6を張り付けて成る収納箱Aの埋込欠き部分Bを、木造住宅の床Cから150mmの間隔を開けて木造住宅の壁Dに埋込固定して、その上に収納箱Aを重ねて埋込固定した、収納箱Aに笠板7と各々に扉8を取付けて、奥行きを必要としない飾り棚や生活用品の収納家具として活用をする。
【００４４】
なお、この発明において、実施例に示した寸法や各部材についても一例を示したものであり、同様の機能を果たす公知の他の寸法部材に置き換えることは可能であり、壁埋込薄型収納家具の寸法や板厚、さらに扉の有無についても自由に設定し発明を支障なく実施することができるものである。
【産業上の利用可能性】
【００４５】
本発明に於いて、新築木造住宅、又は、現在居住している木造住宅に、容易に取付けることができる壁厚を有効活用する壁埋込薄型収納家具は、地震災害による家具の転倒防止・狭い部屋のスペースを有効活用・ロボット掃除機時代への対応・生活用品の迅速な収納等々、整理・整頓・清掃が容易にできることによって、日常生活用品の収納効率が改善できるとともに居住者の健康管理に繋がる。さらに、壁埋込薄型収納家具を壁に埋込固定することによって、地震災害等による家具の転倒が防止できることは、災害が多発する我国の防災に大きく貢献ができる。他方、我国の狭い部屋の住宅事情から、一家に一台以上の壁埋込薄型収納家具が取り付けられる時代は到来する。
【図面の簡単な説明】
【００４６】
【図１】本発明に係る壁に固定した壁埋込薄型収納家具の鳥観図。
【図２】壁に固定した奥行の浅い壁埋込薄型収納家具の横断面詳細図。
【図３】壁に固定した奥行の深い壁埋込薄型収納家具の横断面詳細図。
【図４】壁に固定した奥行の深い壁埋込薄型収納家具の縦断面図。
【図５】図4の正面図。
【図６】図4の横断面図。
【図７】壁に固定した奥行の浅い壁埋込薄型収納家具の縦断面図。
【図８】図7の正面図。
【図９】図7の横断面図。
【図１０】複数並列埋込固定した壁埋込薄型収納家具の正面図。
【図１１】、図10の断面図。
【図１２】奥行の深い2段重連結した壁埋込薄型収納家具の縦断面図。
【図１３】図12の正面図。
【図１４】奥行の浅い2段重連結した壁埋込薄型収納家具の縦断面図。
【図１５】図14の正面図。
【符号の説明】
【００４７】
1. 複数の棚受け
2. 埋込欠きをした側板
3. 埋込欠きをした上板
4. 埋込欠きをした下板
5. 箱枠
6. 裏板
7. 笠板
8. 扉
9. 柱
10.間柱
11.棚板
12.ボード
A  収納箱
B  埋込欠き部分
C  木造住宅の床
D  木造住宅の壁
E  壁埋込薄型収納家具
【図１】
2020105857.tif 000003
【図２】
2020105857.tif 000004
【図３】
2020105857.tif 000005
【図４】
2020105857.tif 000006
【図５】
2020105857.tif 000007
【図６】
2020105857.tif 000008
【図７】
2020105857.tif 000009
【図８】
2020105857.tif 000010
【図９】
2020105857.tif 000011
【図１０】
2020105857.tif 000012
【図１１】
2020105857.tif 000013
【図１２】
2020105857.tif 000014
【図１３】
2020105857.tif 000015
【図１４】
2020105857.tif 000016
【図１５】
2020105857.tif 000017